(57)【要約】【課題】天井間隙の発生を防止し、外箱の上端と建物天井とを接する状態で設置することができるとともに、設置時の作業手間およびコストを低減することができ、しかも独自に幕板を設置する必要がなく、幕板が設置されている場合においても、その取外しの必要がなく、機能的、作業的、コスト的および外観的優れた設置状態を得るようにする。【解決手段】建物上部の壁に取付けられた外箱１に電動式昇降機構によって上下動するキャビネット２を設けた電動昇降吊戸棚であり、壁３７に取付けられる水平部３８ａを有する取付け金具３８と、外箱１に設けられ取付け金具３８に水平方向にスライドして載置される載置部３９と、取付け金具３８に設けられ載置部３９の壁から離間する方向への移動を阻止する脱落防止用止め具４０とを有する。【選択図】  図２
2005021298.tif 000002
【特許請求の範囲】
【請求項１】
建物上部の壁に取付けられた外箱に電動式昇降機構によって上下動するキャビネットを設けた電動昇降吊戸棚において、前記壁に取付けられる水平部を有する取付け金具と、前記外箱に設けられ前記取付け金具に水平方向にスライドして載置される載置部と、前記取付け金具に設けられ前記載置部の前記壁から離間する方向への移動を阻止する脱落防止用止め具とを有することを特徴とする電動昇降吊戸棚。
【請求項２】
前記止め具は、前記取付け金具の水平部に上方から落し込み、または下方から螺挿して前記外箱の載置部を前記壁から離間する方向の移動を阻止する着脱可能な構成とされている請求項１記載の電動昇降吊戸棚。
【請求項３】
前記外箱は、背板の左右方向中央位置に一ヶ所の孔を有し、この孔に前記取付け金具が挿入される構成とされている請求項１記載の電動昇降吊戸棚。
【請求項４】
前記外箱の天板の上面は前面上部よりも低い構成とされている請求項１記載の電動昇降吊戸棚。
【発明の詳細な説明】
【０００１】
【発明の属する技術分野】
本発明は、例えば建物上部の壁に取付けられる食器乾燥器等として適用される電動昇降戸棚に係り、特に壁に対する取付け初期の高さ設定手段を改良した電動昇降吊戸棚に関する。
【０００２】
【従来の技術】
一般に、この種の電動昇降戸棚は、例えば図６に示すように、建物上部の壁ａに取付けられる外箱ｂに、電動式昇降機構によって上下動する内箱としてのキャビネットｃを設けた構成とされている。すなわち、外箱ｂは壁ａに取付けられる背板ｂ１、天板ｂ２、前面の開閉可能な扉ｂ３および側壁ｂ４を備え、下面が開口している。内箱であるキャビネットｃは、図示省略の昇降機構によって昇降可能とされている。この内箱ｃの昇降に伴い、外箱ｂの扉ｂ３は、図示省略のリンク機構等によって開閉する。
【０００３】
このような構成の電動昇降戸棚は、壁ａに外箱ｂの背板ｂ１をビス等によって固定することにより取付け固定されているが、取付け初期においては、壁ａの所定高さに位置決めする手段として、壁ａに予め取付け金具ｄを固定しておき、この取付け金具ｄに、外箱ｂの背板ｂ１の孔ｂ５を一致させるようにしている。
【０００４】
図７は、この取付け金具ｄを拡大して示している。この図７に示すように、取付け金具ｄが略Ｌ形とされ、その一片ｄ１が縦状態とされて壁ａに接合され、ビスｅ等によって止着されている。他片ｄ２は略水平に配置されているが、その先端部ｄ３が上向きに傾斜されている。
【０００５】
そして、外箱ｂの背板ｂ１を図７に矢印ｆで示したように、壁ａに対して斜め下方に移動させるように移動し、取付け金具ｄの傾斜した先端ｄ３を、背板ｂ１に穿設した孔ｆに通し、背板ｂ１を壁ａに一致させるようにしている。このようにして位置決めした後に、図示しない多数の止着具によって外箱ｂが壁ａに固定されている。
【０００６】
なお、従来の各種に係る電動昇降棚技術（例えば特許文献１参照）においては、特に示されていないが、殆どの場合、上記の構成が採用されている。
【０００７】
【特許文献１】
特開平１１−９３５５号公報［図３等］
【０００８】
【発明が解決しようとする課題】
ところが、上述した従来の技術においては、図６および図７に示したように、外箱ａを下降させながら壁ａ側に移動させて孔ｇを取付け金具ｄに合致させる操作が必要であるため、作業が面倒であるとともに、設置状態においては、図７に示すように、据付け初期に外箱ａの下降分だけ建物天井側との間に隙間ｈが発生する。この隙間ｈは、現状で３０ｍｍ以上である。
【０００９】
キャビネットｃを昇降させて空間高さを有効に活用しようとする電動昇降戸棚にあって、このような比較的大きな隙間ｈが室内上方に発生することは、それだけ利用性を低下することになる。
【００１０】
また、隙間ｈの発生により、建物室内側からの外観が低下するため、通常は図６に示すように、建物天井側に幕板ｉを取付ける等によって対処している。このため、余分な材料コストや作業コストを要する不利も生じている。
【００１１】
さらに、一旦幕板ｉを設置した後に、何らかの事情で電動昇降戸棚を取外す場合には、外箱ｂを取付け時と逆に、取付け金具ｂの上向きの先端ｄ３から外すため上向きに移動させる必要があり、その際に殆どの場合、幕板ｉと外箱ｂとが干渉するため、幕板ｉを取外さなければならいという不具合も生じている。
【００１２】
本発明はこのような事情に鑑みてなされたもので、上述した天井間隙の発生を防止して、外箱の上端と建物天井とを接する状態で設置することができるとともに、設置時の作業手間およびコストを低減することができ、しかも独自に幕板を設置する必要がなく、仮に隣接する他の家具等との関係で幕板が設置されている場合においても、その取外しの必要がなく、機能的、作業的、コスト的および外観的に優れた設置状態を得ることができる電動昇降戸棚を提供することを目的とする。
【００１３】
【課題を解決するための手段】
上記の目的を達成するため、請求項１に係る発明では、建物上部の壁に取付けられた外箱に電動式昇降機構によって上下動するキャビネットを設けた電動昇降吊戸棚において、前記壁に取付けられる水平部を有する取付け金具と、前記外箱に設けられ前記取付け金具に水平方向にスライドして載置される載置部と、前記取付け金具に設けられ前記載置部の前記壁から離間する方向への移動を阻止する脱落防止用止め具とを有することを特徴とする電動昇降吊戸棚を提供する。
【００１４】
請求項２に係る発明では、前記止め具は、前記取付け金具の水平部に上方から落し込み、または下方から螺挿して前記外箱の載置部を前記壁から離間する方向の移動を阻止する着脱可能な構成とされている請求項１記載の電動昇降吊戸棚を提供する。
【００１５】
請求項３に係る発明では、前記外箱は、背板の左右方向中央位置に一ヶ所の孔を有し、この孔に前記取付け金具が挿入される構成とされている請求項１記載の電動昇降吊戸棚を提供する。
【００１６】
請求項４に係る発明では、前記外箱の天板の上面は前面上部よりも低い構成とされている請求項１記載の電動昇降吊戸棚を提供する。
【００１７】
【発明の実施の形態】
以下、本発明に係る電動昇降吊戸棚の一実施形態について図１〜図５を参照して説明する。なお、本実施形態は、一例として、システムキッチンにおける天井設置式の昇降式食器乾燥機として適用する場合について説明する。ただし、その他の電動昇降吊戸棚、例えば乾燥庫、水切り棚等、種々の吊戸棚に適用することができる。
【００１８】
図１は、本実施形態による昇降式食器乾燥機の全体構成を示す斜視図である。図２は側断面図である。
【００１９】
図１および図２に示すように、本実施形態の昇降式食器乾燥機は、基本的に、天井またはその付近に設置される外箱１と、この外箱１に昇降可能に設けられたキャビネットとしての内箱２とを有し、外箱１の前面には扉３が設けられている。
【００２０】
外箱１は、天板１ａ、前垂板１ｂ、両側板１ｃ、背板１ｄ等により構成され、下端全面および前面の前垂板１ｂ以外の部分が開口している。この外箱１の両側板１ｃの内面に、内箱２を昇降ガイドするための縦長なガイドレール４がそれぞれ設けられ、天板１ａの内面（下面）には部品支持用のフレーム５が設けられている。この外箱１の前垂板１ｂに、扉３がその上端縁部の例えば３個所に設けたヒンジ６を介して連結され、これにより扉３は上端縁部を支点として下端側を前後方向に回動し得る構成となっている。
【００２１】
内箱２は食器乾燥機本体を構成するもので、上板２ａ、下板２ｂ、両側板２ｃおよび背板２ｄにより前面が開口する形状とされ、内部に上下２段の食器籠７を有している。この内箱２の両側板２ｃの外面間の寸法が、外箱１の両側板１ｃの内面間の寸法よりも僅かに小さく設定され、これら各側板１ｃ，２ｃ間にそれぞれ縦長な幅狭い側方空間８が形成されている。なお、内箱２の高さは外箱１より十分小さく、内箱２上方に機器スペースが形成されるようになっている。
【００２２】
内箱２は外箱１に昇降機構９により昇降可能に支持されている。この昇降機構９は例えばベルト式昇降機構であり、外箱１のフレーム５に取付けたモータ１０と、このモータ１０にギア等の動力伝達機構１１を介して連結された巻取りドラム１２と、このドラムに巻装されるベルト１３と、ベルト１３を下方に案内するベルトローラ１４と、内箱２の天板２ａにブラケット１５を介して支持された内箱吊上げ用の吊上げローラ１６と、ベルト１３の端部をフレーム５部位で止着する止着具１７とを有する。
【００２３】
この昇降機構９のベルト１３は例えば２本構成であり、その各ベルト１３により内箱２の左右２箇所が吊上げられる方式となっている。各ベルト１３は、一つの巻取りドラム１２に同時に巻上げられ、それにより内箱２が常時一定姿勢で昇降することができる。内箱２の両側板２ｃの外面部にはそれぞれスライダ４ａが設けられ、このスライダ４ａが外箱１のガイドレール４に案内されることにより、確実に内箱２の昇降時の姿勢が安定する。
【００２４】
内箱２の天板２ａ上には送風機１８、ヒータ１９およびダクト２０が設けられ、送風口２１を介して内箱２に温風が供給されるようになっている。なお、内箱２の内底部には傾斜したドレン受け用の集水部２２が設けられ、この集水部で集められるドレンは排水口２３を介して、底板２ｂの前方側に着脱可能に設けた水受皿２４に貯留されるようになっている。
【００２５】
操作部のスイッチを介しての下降指令の出力により巻取りドラム１２が回転して内箱２が下降し、また上昇指令の出力により、内箱２が上昇する。
【００２６】
本実施形態では、内箱２と扉３とが、外箱１と内箱２との各側板１ｃ，２ｃ間に形成される側方空間８に配設したリンク機構３３によって連結されている。各リンク機構３３は、各２本ずつのアーム３４，３５により構成され、内箱２の昇降に伴って扉３を開閉させるようになっている。また、扉３の上端側支点近傍位置と外箱１とは、引張りコイルばね３６によって接続され、これにより扉３には常閉方向の付勢力が常時付与されている。
【００２７】
このような構成において、本実施形態では、建物上部の壁３７に取付けられる水平部３８ａおよび垂直部３８ｂを有する左右に長い取付け金具３８が備えられるとともに、外箱１の背板１ｄにおける上端近傍の左右方向中央位置には、取付け金具３８に水平方向にスライドして載置される載置部として左右に長い一ヶ所の孔３９が穿設されている。そして、取付け金具３８の水平部３８ａには、外箱１の背板１ｄおよびその孔３９からなる載置部が、壁３７から離間する方向への移動を阻止するための脱落防止用の止め具４０が着脱可能に備えられている。
【００２８】
図３は、取付け金具３８および止め具３９を拡大して示している。この図３および図１、２に示すように、取付け金具３８は上述した水平部３８ａと、この水平部３８ａの端部から下方に向って伸びる垂直部３８ｂとにより、断面略Ｌ形とされている。この取付け金具３８の垂直部３８ａが壁３７に接合され、ビス等の止着具４１によって止着される。取付け金具３８の水平部３８ａは、水平状の部分のみからなり、従来の取付け金具ような上向き傾斜は有していない。この取付け金具３８の水平部３８ａには、止め具４０を装着するための係止孔４２、例えばねじ孔が、左右方向に所定の間隔で穿設されている。
【００２９】
止め具４０は、図３に示すように、例えばねじ具として構成されており、取付け金具３８の水平部３８ａの下方から、ねじ孔である係止孔４２に挿入され、先端側が水平部３８ａの上方に突出するようになっている。この止め具４０の取付け金具３８への取付けは、外箱１を取付け金具３８に取付けた後に行われる。
【００３０】
すなわち、図３に仮想線で示すように、止め具４０は取付け金具３８に対し、外箱１取付け前の段階では取付け水平部３８ａに装着されない。図３に矢印ｘで示したように、外箱１を壁３７側に移動し、孔３９に取付け金具３８の水平部３８ａが挿入された状態となり、さらに壁３７側に移動して係止孔設置位置まで達する等、係止孔４２の位置を超えた後に、図３に実線で示すように、止め具４０が取付け金具３８の水平部３８ａ係止孔４２に下方から螺挿される。この止め具４０の螺挿により、その先端が取付け金具３８の水平部３８の上方に突出し、外箱が所定位置に設置され、外箱１の載置部を壁３７から離間する方向の移動を阻止する着脱可能な構成となる。
【００３１】
このように、外箱１は、水平移動のみによって取付け金具３８を介して壁３７の表面に達し、所定高さ位置に支持される。そして、位置決めされた後に、図示しないビス等の締結具により壁３７に固定される。したがって、本実施形態によれば、外箱１は、図７に示した従来例のような下向移動等を必要としないので、この外箱１の上端部は壁３７の天井部分に沿う水平移動により、壁３７の天井との間に隙間なく密着させた状態で設置することができる。
【００３２】
なお、図３に示すように、外箱１の天板１ａには、機器取付け用のボルト、ねじ等の機器取付け用部品４３が装着され、この機器取付け用部品４３が天板１ａの上面に突出する場合が多い。このため、天板１ａが外箱１の最頂部となる構成であると、天板１ａの上面が壁３７の天井面に当接し、天板１ａの上面が天井面に密接できなくなる可能性がある。
【００３３】
そこで、外箱１の天板１ａの上面は、少なくとも前垂れ板１ｂとしての外箱１の前面上部よりも低い構成とされ（本実施形態では側板１ｃおよび背板１ｄも前面上部と同高さとなっている）、外箱１の前面上部が壁３７の天井面に優先的に密接することにより、室内側から壁３７側を見た場合に外箱１の上端部が壁３７の天井面に密接する状態となっている。
【００３４】
なお、取付け金具３８に装着される止着具４１は、必ずしもねじ等である必要はない。例えば図４に示した下部小径の異径ピン４１ａ、または図５に示すように、中間大径の段付きピン状のものとして、取付け金具３８の水平部３７の係止孔４２に上方から落し込むことで、外箱１の載置部を壁３７から離間する方向の移動を阻止する着脱可能な構成としてもよい。
【００３５】
図５は、他の家具４４，４５等と本実施形態の電動昇降戸棚である食器乾燥器とを併設した状態を示している。この図５に示したように、本実施形態によれば、外箱１を他の家具４４，４５等と同一高さとして天井に密着状態とすることができ、幕板設置等の必要性もなく整合性のよい家具としての設置が可能となる。
【００３６】
以上の実施形態によれば、外箱ａを下降させる必要なく水平移動のみによって壁３７側に移動させて設置できるため、設置初期の作業が従来に比して極めて容易に行えるとともに、設置状態として、外箱１の上端部位を建物天井面と密着した隙間のない状態が得られる。
【００３７】
また、内箱２であるキャビネットを昇降させて空間高さを有効に活用しようとする電動昇降戸棚にあって、室内上方に隙間が発生しないので、それだけ空間利用性を高めることができる。
【００３８】
しかも、外箱１が天井に隙間なく密着するので、建物室内側からの外観が向上し、幕板設置等の必要性もなく、余分な材料コストや作業コストも必要とせず、経済的効果も得られる。
【００３９】
さらに、他の家具等との関係により幕板を設置したような場合で、外箱１を取外す必要が生じた場合においても、水平移動のみにより取外しが可能となるので、幕板と外箱１との干渉を回避しやすく、したがって取外し等の際の利便性も得ることができる。
【００４０】
【発明の効果】
以上で詳述したように、本発明によれば、天井間隙の発生を防止し、外箱の上端と建物天井とを接する状態で設置することができるとともに、設置時の作業手間およびコストを低減することができ、しかも独自に幕板を設置する必要がなく、幕板が設置されている場合においても、その取外しの必要がなく、機能的、作業的、コスト的および外観的優れた設置状態を得ることができる。
【図面の簡単な説明】
【図１】本発明の一実施形態における全体構成を示す斜視図。
【図２】本発明の一実施形態における設置状態を一部断面で示す側面図。
【図３】本発明の一実施形態における要部拡大図。
【図４】（Ａ）、（Ｂ）は、それぞれ止め具の変形例を示す説明図。
【図５】本発明の一実施形態における設置状態を示す説明図。
【図６】従来例を示す説明図。
【図７】従来例を示す説明図。
【符号の説明】
１  外箱
２  内箱
３  扉
４  ガイドレール
４ａ  スライダ
５  フレーム
６  ヒンジ
７  受具
８  側方空間
９  昇降機構
１０  モータ
１１  動力伝達機構
１２  巻取りドラム
１３  ベルト
１４  ベルトローラ
１５  ブラケット
１６  吊上げローラ
１７  止着具
１８  送風機
１９  ヒータ
２０  ダクト
２１  送風口
２２  ドレン受け
２３  排水口
２４  ドレン貯め
２５  ランプ、入力スイッチ等
２６  パネル
２７  操作レバー
２８  支点ピン
２９  アクチュエータ
３０，３１  リミットスイッチ
３２  制御装置
３３  リンク機構
３４  アーム
３５  アーム
３６  コイルばね
３７  壁
３８  取付け金具
３８ａ  水平部
３９  孔（載置部）
４０  止め具
４１  係止具
４２  係止孔
４３  機器取付け用部品
４４，４５  家具
【図１】
2005021298.tif 000003
【図２】
2005021298.tif 000004
【図３】
2005021298.tif 000005
【図４】
2005021298.tif 000006
【図５】
2005021298.tif 000007
【図６】
2005021298.tif 000008
【図７】
2005021298.tif 000009